(57)【要約】【課題】データの属性情報を表示するときに、利用者がデータを選択しやすいような表示を行う。【解決手段】表示装置は、表示面を有する記憶性表示体と、記憶性表示体の表示面から利用者が操る操作子までの距離を測定するペン検出部と、データの属性を表す複数種別の属性情報を記憶する記憶部と、ペン検出部によって測定された距離に対応する属性情報の種別を特定し、特定した種別の属性情報を記憶部から読み出して、記憶性表示体の表示面に表示させるＣＰＵとを備える。【選択図】図８
2010026565.tif 000002
【特許請求の範囲】
【請求項１】
表示面を有する表示手段と、
前記表示手段の表示面から利用者が操る操作子までの距離を測定する距離測定手段と、
データの属性を表す複数種別の属性情報を記憶する属性情報記憶手段と、
前記距離測定手段によって測定された距離に対応する前記属性情報の種別を特定し、特定した当該種別の属性情報を前記属性情報記憶手段から読み出して、前記表示面に表示させる制御手段と
を備えることを特徴とする表示装置。
【請求項２】
前記制御手段は、前記距離測定手段によって測定された距離が小さいほど、前記表示面に表示されている属性情報の種別を増やして表示させる
ことを特徴とする請求項１に記載の表示装置。
【請求項３】
前記表示手段の表示面上における前記操作子の位置を特定する位置特定手段を備え、
前記制御手段は、前記表示面に表示されている前記属性情報のうち、前記位置特定手段により特定された位置に対応する属性情報を判別し、判別した当該属性情報によって属性が表されるデータについて、前記特定した種別の属性情報を前記属性情報記憶手段から読み出して、前記表示面に表示させる
ことを特徴とする請求項１又は２に記載の表示装置。
【請求項４】
前記データは、文章画像を表す文章データであり、
前記属性情報記憶手段は、各々の文章データが表す文章画像の縮小画像を含む属性情報を記憶し、
前記制御手段は、前記距離測定手段によって測定された距離が閾値以下である場合には、前記縮小画像を含む属性情報を前記属性情報記憶手段から読み出して、前記表示面に表示させる
ことを特徴とする請求項１から３のいずれか１項に記載の表示装置。
【請求項５】
前記表示手段の表示面において前記操作子が接触した位置を特定する接触位置特定手段と、
前記データとして文章画像を表す文章データを記憶するデータ記憶手段とを備え、
前記制御手段は、前記表示面に前記属性情報が表示されているときに前記接触位置特定手段により当該属性情報の表示位置が特定された場合には、特定された当該表示位置に表示されている属性情報によって属性が表される文章データを前記データ記憶手段から読み出して、当該文章データが表す文章画像を前記表示面に表示させる
ことを特徴とする請求項１から４のいずれか１項に記載の表示装置。
【請求項６】
前記制御手段は、前記距離測定手段によって測定された距離が第１の閾値以下の場合には、前記表示面に表示されている属性情報の種別を増やして表示させ、前記距離測定手段によって測定された距離が前記第１の閾値よりも大きい第２の閾値以上の場合には、前記表示面に表示されている属性情報の種別を減らして表示させる
ことを特徴とする請求項１から５のいずれか１項に記載の表示装置。
【請求項７】
コンピュータを、
表示手段の表示面から利用者が操る操作子までの距離に対応する属性情報の種別を特定し、特定した当該種別の属性情報を記憶手段から読み出して、前記表示面に表示させる制御手段と
して機能させるためのプログラム。
【発明の詳細な説明】
【技術分野】
【０００１】
本発明は、データの属性情報を表示する技術に関する。
【背景技術】
【０００２】
利用者の操作に応じて、表示内容を変更する技術が知られている。例えば、特許文献１には、表示画面から操作手段の先端までの距離が閾値以下である場合には、操作手段の位置に対応する表示画面上の位置の操作ボタンの大きさと、予め登録された利用者の指の大きさとを比較し、利用者の指の大きさの方が大きい場合には、その操作ボタンを拡大表示させる技術が開示されている。また、特許文献２には、利用者と画面の距離を測定し、測定した距離に応じた大きさで文字を表示する技術が開示されている。また、特許文献３には、利用者の指の動作に応じて、地図画像の回転、拡大、縮小、スクロールなどを行う技術が開示されている。例えば、利用者によって２本の指を遠ざける動作が行われた場合には、２本の指の移動距離に応じた拡大量で地図画像が拡大される。
【特許文献１】特開２００６−８５２１８号公報
【特許文献２】特開２００３−１４０６３２号公報
【特許文献３】特開２００７−３１０８８８号公報
【発明の開示】
【発明が解決しようとする課題】
【０００３】
ところで、記憶部に記憶されている各データの名前、作成者、更新日時などの属性情報を一覧表示する技術が知られている。この一覧表示においては、一覧性を向上させるために、より多くのデータの属性情報を一画面に表示させようとすると、表示される属性情報の種別を少なくせざるを得ない。その場合、利用者は、限られた種別の属性情報だけを見て所望のデータを判別しなければならず、さらに、表示されている属性情報を見ただけでは所望のデータを判別できない場合には、データを１つひとつ指定してその内容を表示させるといった煩雑な作業を行わなくてはならない。一方、一覧表示において表示される属性情報の種別を増やすと、こんどは一覧性が悪くなってしまう。
本発明は、このような背景に鑑みてなされたものであり、データの属性情報を表示するときに、利用者がデータを選択しやすいような表示を行うことを目的とする。
【課題を解決するための手段】
【０００４】
本発明は、表示面を有する表示手段と、前記表示手段の表示面から利用者が操る操作子までの距離を測定する距離測定手段と、データの属性を表す複数種別の属性情報を記憶する属性情報記憶手段と、前記距離測定手段によって測定された距離に対応する前記属性情報の種別を特定し、特定した当該種別の属性情報を前記属性情報記憶手段から読み出して、前記表示面に表示させる制御手段とを備えることを特徴とする表示装置を提供する。これにより、データの属性情報を表示するときに、利用者がデータを選択しやすいような表示を行うことができる。
【０００５】
本発明の好ましい態様において、前記制御手段は、前記距離測定手段によって測定された距離が小さいほど、前記表示面に表示されている属性情報の種別を増やして表示させてもよい。これにより、利用者は、操作子を表示面に近づけていくほど、より多くの種別の属性情報を閲覧することができる。
【０００６】
本発明の好ましい態様においては、前記表示手段の表示面上における前記操作子の位置を特定する位置特定手段を備え、前記制御手段は、前記表示面に表示されている前記属性情報のうち、前記位置特定手段により特定された位置に対応する属性情報を判別し、判別した当該属性情報によって属性が表されるデータについて、前記特定した種別の属性情報を前記属性情報記憶手段から読み出して、前記表示面に表示させてもよい。これにより、利用者は、操作子の位置に対応する属性情報によって属性が表されるデータの属性情報だけを閲覧することができる。
【０００７】
本発明の好ましい態様において、前記データは、文章画像を表す文章データであり、前記属性情報記憶手段は、各々の文章データが表す文章画像の縮小画像を含む属性情報を記憶し、前記制御手段は、前記距離測定手段によって測定された距離が閾値以下である場合には、前記縮小画像を含む属性情報を前記属性情報記憶手段から読み出して、前記表示面に表示させてもよい。これにより、利用者は、閾値以下の距離まで操作子を表示面に近づけることにより、文章データが表す文章画像の縮小画像を閲覧することができる。
【０００８】
本発明の好ましい態様においては、前記表示手段の表示面において前記操作子が接触した位置を特定する接触位置特定手段と、前記データとして文章画像を表す文章データを記憶するデータ記憶手段とを備え、前記制御手段は、前記表示面に前記属性情報が表示されているときに前記接触位置特定手段により当該属性情報の表示位置が特定された場合には、特定された当該表示位置に表示されている属性情報によって属性が表される文章データを前記データ記憶手段から読み出して、当該文章データが表す文章画像を前記表示面に表示させてもよい。これにより、利用者は、操作子を表示面に接触させることにより、所望の文章画像を表示させることができる。
【０００９】
本発明の好ましい態様において、前記制御手段は、前記距離測定手段によって測定された距離が第１の閾値以下の場合には、前記表示面に表示されている属性情報の種別を増やして表示させ、前記距離測定手段によって測定された距離が前記第１の閾値よりも大きい第２の閾値以上の場合には、前記表示面に表示されている属性情報の種別を減らして表示させてもよい。これにより、表示面に表示されている属性情報の種別を増やして表示させるときの閾値と、属性情報の種別を減らして表示させるときの閾値とを異ならせることができる。
【００１０】
また、本発明は、コンピュータを、表示手段の表示面から利用者が操る操作子までの距離に対応する属性情報の種別を特定し、特定した当該種別の属性情報を記憶手段から読み出して、前記表示面に表示させる制御手段として機能させるためのプログラムを提供する。これにより、データの属性情報を表示するときに、利用者がデータを選択しやすいような表示を行うことができる。
【発明を実施するための最良の形態】
【００１１】
［構成］
図１は、本実施形態に係る表示装置１の外観を示す平面図である。この表示装置１は、例えば電子ペーパーである。図２は、表示装置１のハードウェア構成を示す図である。同図に示すように、表示装置１は、ＣＰＵ（Central Processing Unit）１１と、ＲＯＭ（Read Only Memory）１２と、ＲＡＭ（Random Access Memory）１３と、記憶部１４と、電源１５と、電源制御部１６と、入出力部１７と、操作ボタン１８と、ペン検出部１９と、ＶＲＡＭ（Video Random Access Memory）２０と、記憶性表示体２１と、表示体制御部２２とを備えている。
【００１２】
ＣＰＵ１１は、ＲＯＭ１２又は記憶部１４に記憶されているプログラムを実行して、表示装置１の各部を制御する制御手段である。ＲＯＭ１２は、表示装置１の起動に必要なプログラムやデータを記憶している。ＲＡＭ１３は、ＣＰＵ１１がプログラムを実行する際のワークエリアとして使用される。記憶部１４は、例えばハードディスクやフラッシュメモリであり、ＣＰＵ１１によって実行されるプログラムの他に、複数の文書データ、属性情報テーブルＴ１、表示形式判別テーブルＴ２などを記憶している。この記憶部１４は、属性情報記憶手段及びデータ記憶手段の一例である。
【００１３】
電源１５は、例えば充電可能な電池であり、表示装置１の各部に電力を供給する。電源制御部１６は、電源１５の管理を行うとともに、電源１５による電力供給の制御を行う。入出力部１７は、操作ボタン１８やペン検出部１９とデータのやり取りを行うインタフェースである。操作ボタン１８は、図１に示すように表示装置１の前面に設けられており、入出力部１７を介してユーザの操作に応じたデータをＣＰＵ１１に入力する。ペン検出部１９は、記憶性表示体２１の背面側に設けられており、電磁誘導方式を利用して、記憶性表示体２１上の検出範囲内にある電子ペン２を検出する。そして、ペン検出部１９は、記憶性表示体２１の表示面上における電子ペン２の位置を特定するとともに、その表示面から電子ペン２までの距離を測定する。ここでは、ペン検出部１９の検出範囲が、記憶性表示体２１の表示面から１０ｃｍの範囲であるものとする。
【００１４】
ＶＲＡＭ２０は、記憶性表示体２１に表示される１ページ分の画像を表す画像データを記憶する。記憶部１４に記憶されている文書データがＣＰＵ１１によって読み出され、画像データとしてこのＶＲＡＭ２０に記憶される。記憶性表示体２１は、電子泳動素子などの複数の表示素子によって構成された表示面を有する表示手段であり、表示体制御部２２によって表示素子が駆動されることにより、ＶＲＡＭ２０に記憶されている画像データに応じた画像を表示する。この記憶性表示体２１は、表示の記憶性を有しており、表示素子が駆動されて画像を表示するまでの駆動期間においては電力が必要であるが、その駆動期間が経過して画像が表示された後は、電力が供給されなくてもその画像を表示し続けることができる。表示体制御部２２は、ＶＲＡＭ２０に記憶されている画像データに基づいて記憶性表示体２１の表示素子を駆動し、その画像データに応じた画像を表示させる駆動回路である。
【００１５】
ここで、図３を参照して、ペン検出部１９が電子ペン２を検出する仕組みについて説明する。この電子ペン２は、利用者が操る操作子の一例である。ペン検出部１９は、マトリックス状に配置された複数のセンサーコイル１９ａを有している。図中のセンサーコイル１９ａ−１，１９ａ−２，１９ａ−３は、紙面手前から紙面奥側方向に延びるループ状の形状をしており、図中のＸ方向に並べられている。なお、図では、図中のＸ方向に並べられたセンサーコイル１９ａのみが示されているが、実際には、ペン検出部１９のセンサ面上においてこのＸ方向と直交するＹ方向にも複数のセンサーコイル１９ａが並べられている。ペン検出部１９は、センサーコイル１９ａに所定の時間だけ電流を流すことにより、記憶性表示体２１の表示面上に磁界ｍを発生させる。このとき、電子ペン２が記憶性表示体２１に近づけられてこの磁界ｍ中に入ると、電子ペン２の内部に設けられたループ状のコイル２５に誘導電流が流れ、コンデンサ２６に電荷が蓄えられる。これにより、電子ペン２のコイル２５に電流が流れてそのペン先に磁界が発生し、電子ペン２の下方に配置されているセンサーコイル１９ａに誘導電流が流れる。
【００１６】
ペン検出部１９は、センサーコイル１９ａに流れた誘導電流を検知することにより、電子ペン２が検出範囲内に入ったことを検出することができる。さらに、ペン検出部１９は、誘導電流が流れたセンサーコイル１９ａの位置に基づいて、電子ペン２の位置を特定することができる。図の例では、電子ペン２の直下に配置されているセンサーコイル１９ａ−２に最大の誘導電流が流れるため、このセンサーコイル１９ａ−２の位置に基づいて、電子ペン２の位置Ｐｔが特定される。また、ペン検出部１９は、センサーコイル１９ａに流れた誘導電流の大きさに基づいて、記憶性表示体２１の表示面から電子ペン２のペン先までの距離Ｌを算出することができる。この誘導電流の大きさと距離Ｌとの関係は、実験や計算により定めることができる。
【００１７】
次に、図４を参照して、記憶部１４に記憶されている属性情報テーブルＴ１の内容について説明する。図４は、属性情報テーブルＴ１の一例を示す図である。同図に示すように、属性情報テーブルＴ１においては、記憶部１４に記憶されている各々の文章データについて、その文章データの「名前」、「タイトル」、「作成者」、「更新日時」、「ページ数」、「ブックマークページ」、「サムネイル画像」が記述されている。この「名前」は、文章データを識別する情報である。「タイトル」は、文章データのタイトルを表す情報である。「作成者」は、文章データを作成した利用者のユーザ名を表す情報である。「更新日時」は、文章データが最後に更新された日時を表す情報である。「ページ数」は、文章データのページ数を表す情報である。「ブックマークページ」は、文章データにおいてブックマークが付加されたページ数を表す情報である。「サムネイル画像」は、文章データが表す文章画像の５ページ目までの縮小画像である。属性情報テーブルＴ１に記述されているこれらの情報は、いずれも文章データの性質や内容を表す情報であるため、データの属性を表す属性情報として用いられる。
【００１８】
次に、図５を参照して、記憶部１４に記憶されている表示形式判別テーブルＴ２の内容について説明する。図５は、表示形式判別テーブルＴ２の一例を示す図である。同図に示すように、表示形式判別テーブルＴ２においては、「距離範囲」と「表示形式」と「情報種別」とが対応付けられている。「距離範囲」は、記憶性表示体２１の表示面から電子ペン２までの距離の範囲を示す情報である。「表示形式」は、記憶性表示体２１に表示される文章リスト画像の表示形式を示す情報である。「情報種別」は、文章リスト画像に配列される属性情報の種別を表す情報である。図の例では、表示形式「全体表示」と情報種別「名前，タイトル，作成者」とが対応付けられている。これは、全体表示の文章リスト画像には、各文章データの名前、タイトル、作成者のユーザ名が配列されることを表している。
【００１９】
次に、図６を参照して、表示装置１が有する特徴的な機能について説明する。図６は、表示装置１の機能構成を示す図である。同図に示すように、ペン検出部１９は、距離測定部１０１と、位置特定部１０２として機能する。距離測定部１０１は、記憶性表示体２１の表示面から電子ペン２のペン先までの距離を測定する。この距離測定部１０１は、距離測定手段の一例である。位置特定部１０２は、記憶性表示体２１の表示面上における電子ペン２の位置を特定する。この位置特定部１０２は、位置特定手段及び接触位置特定手段の一例である。また、ＣＰＵ１１は、プログラムを実行することにより、表示形式判別部１０３と、文章リスト画像生成部１０４と、画像データ書き込み部１０５として機能する。表示形式判別部１０３は、距離測定部１０１によって測定された距離と、記憶部１４の表示形式判別テーブルＴ２とに基づいて、記憶性表示体２１に表示させる文章リスト画像の表示形式を判別する。このとき、表示形式判別部１０３は、距離測定部１０１によって測定された距離が小さいほど、記憶性表示体２１に表示されている属性情報の種別が増えるような表示形式を判別する。文章リスト画像生成部１０４は、表示形式判別部１０３によって判別された表示形式に基づいて、文書リスト画像を生成する。画像データ書き込み部１０５は、文章リスト画像生成部１０４によって生成された文書リスト画像を表す画像データ、又は、電子ペン２によって指定された文章データに応じた画像データをＶＲＡＭ２０に書き込み、表示体制御部２２に表示開始命令を供給する。表示体制御部２２は、画像データ書き込み部１０５によって表示開始命令が供給されると、ＶＲＡＭ２０に記憶されている画像データに基づいて記憶性表示体２１の表示素子を駆動させる。記憶性表示体２１は、表示体制御部２２によって表示素子が駆動されることにより、ＶＲＡＭ２０に記憶されている画像データに応じた画像、つまり文章リスト画像又は文章画像のいずれかを表示する。
【００２０】
［動作］
次に、図７を参照して、表示装置１の動作について説明する。図７は、表示装置１において行われる文章リスト画像の表示処理を示すフロー図である。利用者によって操作ボタン１８が用いられて、文章リスト画像の表示を指示する操作が行われると、文章リスト画像の表示指示がＣＰＵ１１に入力される（ステップＳ１１）。文章リスト画像の表示指示が入力されると、ＣＰＵ１１は、まず、記憶部１４の表示形式判別テーブルＴ２を参照して、全体表示の文章リスト画像に配列される属性情報の種別を特定する。この例では、図５に示した表示形式判別テーブルＴ２において、表示形式「全体表示」と情報種別「名前，タイトル，作成者」とが対応付けられているため、全体表示の文章リスト画像に配列される属性情報の種別として、文章データの「名前」、「タイトル」、「作成者」が特定される。続いて、ＣＰＵ１１は、特定した種別の属性情報を記憶部１４の属性情報テーブルＴ１から抽出し、抽出した属性情報に基づいて全体表示の文章リスト画像Ｒ１を生成する（ステップＳ１２）。ここでは、全体表示において一画面に収まる文章リストの数が１０個であるものとする。その場合には、図４に示した属性情報テーブルＴ１において上から１０個のレコードが特定され、特定されたレコードから「名前」、「タイトル」、「作成者」が抽出される。そして、抽出されたそれらの属性情報が配列されて全体表示の文章リスト画像Ｒ１が生成される。そして、この全体表示の文章リスト画像Ｒ１を表す画像データがＲＡＭ１３に記憶される。続いて、ＣＰＵ１１は、この全体表示の文書リスト画像Ｒ１を表す画像データをＶＲＡＭ２０に書き込み（ステップＳ１３）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、全体表示の文章リスト画像Ｒ１が表示される（ステップＳ１４）。
【００２１】
図８は、このときに表示される全体表示の文章リスト画像Ｒ１の一例を示す図である。同図に示すように、この全体表示の文章リスト画像Ｒ１には、文章データＡ〜Ｊについて、文章データであることを表すアイコン画像Ｉと、文章データの名前、タイトル及び作成者のユーザ名とが対応付けられて配列されている。例えば、文章リスト画像Ｒ１の一番上の列には、アイコン画像Ｉと、「文章データＡ」という名前と、文章データＡのタイトルである「分析結果」と、文章データＡの作成者のユーザ名である「ユーザａ」とが対応付けられて配置されている。利用者は、この全体表示の文章リスト画像Ｒ１を見ることにより、文章データＡ〜Ｊの名前、タイトル及び作成者を知ることができる。そして、利用者は、これらの属性情報に基づいて、所望の文章データにあたりをつけ、その文章データを表すアイコン画像Ｉ付近に電子ペン２を近づける。ここでは、利用者が電子ペン２を図中の位置「Ｐ１」に記憶性表示体２１の表示面から５ｃｍの距離まで近づける操作を行った場合を想定する。
【００２２】
記憶性表示体２１に全体表示の文章リスト画像Ｒ１が表示されると、ＣＰＵ１１は、ペン検出部１９によって、電子ペン２がその検出範囲内にあるか否かを判定する（ステップＳ１５）。仮に、電子ペン２が記憶性表示体２１の表示面から１０ｃｍの範囲に近づけられていない場合、電子ペン２はペン検出部１９の検出範囲内にないため検出されない。この場合、ＣＰＵ１１は、電子ペン２が検出範囲内にないと判定し（ステップＳ１５：ＮＯ）、電子ペン２が検出範囲内に移動されるまで待機する。一方、この例のように、記憶性表示体２１の表示面から５ｃｍの範囲に電子ペン２が近づけられた場合には、電子ペン２がペン検出部１９によって検出されるため、ＣＰＵ１１は、電子ペン２が検出範囲内にあると判定する（ステップＳ１５：ＹＥＳ）。この場合、ＣＰＵ１１は、ペン検出部１９によって、記憶性表示体２１の表示面から電子ペン２までの距離を測定するとともに、その表示面上における電子ペン２の位置を特定する（ステップＳ１６）。この例では、記憶性表示体２１の表示面から電子ペン２までの距離として「５ｃｍ」が測定されるとともに、電子ペン２の位置として図８中の位置「Ｐ１」が特定される。
【００２３】
続いて、ＣＰＵ１１は、測定した距離に基づいて、電子ペン２が記憶性表示体２１の表示面に接触したか否かを判定する（ステップＳ１７）。この例のように、測定した距離が０ｃｍではない場合、ＣＰＵ１１は、電子ペン２が記憶性表示体２１の表示面に接触していないと判定する（ステップＳ１７：ＮＯ）。この場合、ＣＰＵ１１は、ステップＳ１６にて測定した距離と、記憶部１４に記憶されている表示形式判別テーブルＴ２とに基づいて、記憶性表示体２１に表示させる文章リスト画像の表示形式を判別する（ステップＳ１８）。仮に、測定した距離が６ｃｍより大きい場合には、図５に示した表示形式判別テーブルＴ２において、距離範囲「６ｃｍより大」に対応する「全体表示」という表示形式が判別される。この場合、ＣＰＵ１１は、前述したステップＳ１３に戻り、全体表示の文章リスト画像Ｒ１を記憶性表示体２１に表示させる。一方、この例では、測定した距離が５ｃｍであるため、図５に示した表示形式判別テーブルＴ２において、距離範囲「６ｃｍ以下３ｃｍより大」に対応付けられた「中間表示」という表示形式が特定される。この場合、ＣＰＵ１１はステップＳ１９に進む。
【００２４】
続いて、ＣＰＵ１１は、まず、記憶部１４の表示形式判別テーブルＴ２を参照して、中間表示の文章リスト画像に配列される属性情報の種別を特定する。この例では、図５に示した表示形式判別テーブルＴ２において、表示形式「中間表示」と情報種別「名前，タイトル，作成者，更新日時」とが対応付けられているため、中間表示の文章リスト画像に配列される属性情報の種別として、文章データの「名前」、「タイトル」、「作成者」、「更新日時」が特定される。続いて、ＣＰＵ１１は、特定した種別の属性情報を記憶部１４の属性情報テーブルＴ１から抽出し、抽出した属性情報に基づいて中間表示の文章リスト画像Ｒ２を生成する（ステップＳ１９）。ここでは、中間表示において一画面に収まる文章リストの数が５個であるものとする。その場合には、まず、記憶性表示体２１に表示されている文章リスト画像において、電子ペン２の位置の近傍に属性情報が表示されている５つの文章データが特定される。この例では、図８に示した全体表示の文章リスト画像Ｒ１において、図中の位置「Ｐ１」の近傍に属性情報が配列されている文章データＡ〜Ｅが特定される。そして、図４に示した属性情報テーブルＴ１からこの文章データＡ〜Ｅの「名前」、「タイトル」、「作成者」、「更新履歴」が抽出され、抽出されたそれらの属性情報が配列されて中間表示の文章リスト画像Ｒ２が生成される。つまり、ＣＰＵ１１は、記憶性表示体２１に表示されている全体表示の文章リスト画像Ｒ１に含まれる属性情報のうち、電子ペン２の位置に対応する属性情報を判別し、判別した属性情報によって属性が表される文章データについて、電子ペン２までの距離に対応する種別の属性情報を記憶部１４から読み出して、中間表示の文章リスト画像Ｒ２を生成する。そして、この中間表示の文章リスト画像Ｒ２を表す画像データがＲＡＭ１３に記憶される。続いて、ＣＰＵ１１は、この中間表示の文章リスト画像Ｒ２を表す画像データをＶＲＡＭ２０に書き込み（ステップＳ２０）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、中間表示の文章リスト画像Ｒ２が表示される（ステップＳ２１）。
【００２５】
図９は、このときに表示される中間表示の文章リスト画像Ｒ２の一例を示す図である。同図に示すように、この中間表示の文章リスト画像Ｒ２には、図８に示した全体表示の文章リスト画像Ｒ１において、電子ペン２の位置として特定された位置「Ｐ１」に対応する文章データＡ〜Ｅについて、前述と同様のアイコン画像Ｉと、文章データの名前、タイトル、作成者のユーザ名及び更新日時とが対応付けられて配列されている。例えば、文章リスト画像Ｒ２の一番上の列には、アイコン画像Ｉ、「文章データＡ」という名前、文章データＡのタイトルである「分析結果」、文章データＡの作成者のユーザ名である「ユーザａ」に加えて、文章データＡの更新日時である「２００８／６／１」が対応付けられて配置されている。
【００２６】
前述したように、図８に示した全体表示の全体リスト画像Ｒ１では、文章データＡ〜Ｊを表す１０個の文章リストが配列されており、それらの各文章データについて名前、タイトル、作成者のユーザ名という３つの属性情報が配置されていた。これに対し、この中間表示の文章リスト画像Ｒ２では、文章データＡ〜Ｅを表す５個の文章リストが配列されており、それらの各文章データについて名前、タイトル、作成者のユーザ名、更新日時という４つの属性情報が配置されている。つまり、この中間表示の文章リスト画像Ｒ２では、図８に示した全体表示の文章リスト画像Ｒ１と比べて、文章リストの数は少なくなるが、表示される属性情報の種別は増える。利用者は、この中間表示の文章リスト画像Ｒ２を見ることにより、文章データＡ〜Ｅの名前、タイトル、作成者に加えて、更新日時を知ることができる。そして、利用者は、これらの属性情報に基づいて、所望の文章データにあたりをつけ、その文章データを表すアイコン画像Ｉ付近に電子ペン２を近づける。ここでは、利用者が電子ペン２を図中の位置「Ｐ２」に記憶性表示体２１の表示面から３ｃｍの距離まで近づけける操作を行った場合を想定する。
【００２７】
記憶性表示体２１に中間表示の文章リスト画像Ｒ２が表示されると、ＣＰＵ１１は、前述したステップＳ１６に戻る。このとき、ステップＳ１６では、記憶性表示体２１の表示面から電子ペン２までの距離として「３ｃｍ」が測定されるとともに、電子ペン２の位置として図９中の位置「Ｐ２」が特定される。続いて、ステップＳ１７では、測定した電子ペン２までの距離が０ｃｍではないため、電子ペン２が記憶性表示体２１の表示面に接触していないと判定される（ステップＳ１７：ＮＯ）。続いて、ステップＳ１８では、測定した距離が３ｃｍであるため、図５に示した表示形式判別テーブルＴ２において、距離範囲「３ｃｍ以下０ｃｍより大」に対応する「詳細表示」という表示形式が判別される。この場合、ＣＰＵ１１はステップＳ２２に進む。
【００２８】
続いて、ＣＰＵ１１は、まず、記憶部１４の表示形式判別テーブルＴ２を参照して、詳細表示の文章リスト画像に配列される属性情報の種別を特定する。この例では、図５に示した表示形式判別テーブルＴ２において、表示形式「詳細表示」と情報種別「名前，タイトル，作成者，更新日時，ページ数，ブックマークページ，サムネイル画像」とが対応付けられているため、詳細表示の文章リスト画像に配列される属性情報の種別として、文章データの「名前」、「タイトル」、「作成者」、「更新日時」、「ページ数」、「ブックマークページ」、「サムネイル画像」が特定される。続いて、ＣＰＵ１１は、特定した種別の属性情報を記憶部１４の属性情報テーブルＴ１から抽出し、抽出した属性情報に基づいて詳細表示の文章リスト画像Ｒ３を生成する（ステップＳ２２）。ここでは、詳細表示において一画面に収まる文章リストの数が３個であるものとする。その場合には、まず、記憶性表示体２１に表示されている文章リスト画像において、電子ペン２の位置の近傍に属性情報が表示されている３つの文章データが特定される。この例では、図９に示した中間表示の文章リスト画像Ｒ２において、図中の位置「Ｐ２」の近傍に属性情報が表示されている文章データＡ〜Ｃが特定される。そして、図４に示す属性情報テーブルＴ１からこの文章データＡ〜Ｃの「名前」、「タイトル」、「作成者」、「更新履歴」、「ページ数」、「ブックマークページ」、「サムネイル画像」が抽出され、抽出されたそれらの属性情報が配列されて詳細表示の文章リスト画像Ｒ３が生成される。つまり、ＣＰＵ１１は、記憶性表示体２１に表示されている中間表示の文章リスト画像Ｒ２に含まれる属性情報のうち、電子ペン２の位置に対応する属性情報を判別し、判別した属性情報によって属性が表される文章データについて、電子ペン２までの距離に対応する種別の属性情報を記憶部１４から読み出して、詳細表示の文章リスト画像Ｒ３を生成する。そして、この詳細表示の文章リスト画像Ｒ３を表す画像データがＲＡＭ１３に記憶される。続いて、ＣＰＵ１１は、この詳細表示の文章リスト画像Ｒ３を表す画像データをＶＲＡＭ２０に書き込み（ステップＳ２３）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、詳細表示の文章リスト画像Ｒ３が表示される（ステップＳ２４）。
【００２９】
図１０は、このときに表示される詳細表示の文章リスト画像Ｒ３の一例を示す図である。同図に示すように、この詳細表示の文章リスト画像Ｒ３には、図９に示した中間表示の文章リスト画像Ｒ２において、電子ペン２の位置として特定された位置「Ｐ２」に対応する３つの文章データＡ〜Ｃについて、前述と同様のアイコン画像Ｉと、文章データの名前、タイトル、作成者のユーザ名、更新日時、ページ数、ブックマークページのページ数、及び文章データが表す文章画像のサムネイル画像Ｎとが対応付けられて配列されている。例えば、文章リスト画像Ｒ３の一番上の列には、アイコン画像Ｉ、「文章データＡ」という名前、文章データＡのタイトルである「分析結果」、文章データＡの作成者のユーザ名である「ユーザａ」、文章データＡの更新日時である「２００８／６／１」に加えて、文章データＡのページ数を表す「１０Ｐ」と、文章データＡにおいてブックマークが付加されているページ数を表す「５Ｐ」と、文章データＡが表す文章画像のサムネイル画像Ｎとが対応付けられて配置されている。つまり、記憶性表示体２１の表示面から電子ペン２までの距離が閾値以下である場合には、縮小画像を含む属性情報が表示される。
【００３０】
前述したように、図９に示した中間表示の全体リスト画像Ｒ２では、文章データＡ〜Ｅを表す５個の文章リストが配列されており、それらの文章データについて名前、タイトル、作成者のユーザ名、更新日時という４つの属性情報が配置されていた。これに対し、この詳細表示の文章リスト画像Ｒ３では、文章データＡ〜Ｃを表す３個の文章リストが配列されており、それらの文章データについて名前、タイトル、作成者のユーザ名、更新日時、ページ数、ブックマークページのページ数、サムネイル画像という７つの属性情報が配置されている。つまり、この詳細表示の文章リスト画像Ｒ３では、中間表示の文章リスト画像Ｒ２と比べて、文章リストの数は少なくなるが、表示される属性情報の種別は増える。利用者は、この詳細表示の文章リスト画像Ｒ３を見ることにより、文章データＡ〜Ｃの名前、タイトル、作成者、更新日時に加えて、ページ数、ブックマークページのページ数、及びその文章画像の内容を知ることができる。そして、利用者は、これらの属性情報に基づいて、所望の文章データを選択し、その文章データを表すアイコン画像Ｉ付近に電子ペン２を接触させる。ここでは、利用者が電子ペン２のペン先を記憶性表示体２１の表示面における図中の位置「Ｐ３」に接触させて、文章データＢを指定する操作を行った場合を想定する。
【００３１】
記憶性表示体２１に詳細表示の文章リスト画像Ｒ３が表示されると、ＣＰＵ１１は、前述したステップＳ１６に戻る。このとき、ステップＳ１６では、電子ペン２のペン先が記憶性表示体２１の表示面に接触させられているため、記憶性表示体２１の表示面から電子ペン２までの距離として「０ｃｍ」が測定されるとともに、電子ペン２の位置として図１０中の位置「Ｐ３」が特定される。続いて、ステップＳ１７では、測定した電子ペン２までの距離が０ｃｍであるため、電子ペン２が記憶性表示体２１の表示面に接触したと判定される（ステップＳ１７：ＹＥＳ）。この場合、ＣＰＵ１１は、電子ペン２の位置に対応する文章データを特定する（ステップＳ２５）。この例では、図１０に示した位置「Ｐ３」に対応する文章データＢが特定される。続いて、ＣＰＵ１１は、特定した文章データＢの１ページ目を記憶部１４から読み出して、画像データとしてＶＲＡＭ２０に書き込み（ステップＳ２６）、表示体制御部２２に表示開始命令を供給する。表示開始命令が供給されると、表示体制御部２２は、ＶＲＡＭ２０に書き込まれた画像データに基づいて記憶性表示体２１の表示素子を駆動し、その画像データに応じた画像を表示させる。これにより、記憶性表示体２１には、文章データＢが表す文章画像の１ページ目が表示される（ステップＳ２７）。つまり、ＣＰＵ１１は、文章リスト画像が表示されているときにペン検出部１９によりその表示位置が特定された場合には、特定された表示位置に表示されている属性情報によって属性が表される文章データを記憶部１４から読み出して、当該文章データが表す文章画像を記憶性表示体２１の表示面に表示させる。
【００３２】
以上説明した実施形態によれば、利用者は、電子ペン２を記憶性表示体２１の表示面から遠ざける操作を行うことで、一覧性の高い文章リスト画像を見ることができ、電子ペン２を記憶性表示体２１の表示面から近づける操作を行うことで、より多くの種別の属性情報が配列された文章リスト画像を見ることができる。つまり、データの属性情報を表示するときに、利用者がデータを選択しやすいような表示を行うことができる。
【００３３】
［変形例］
以上が実施形態の説明であるが、この実施形態の内容は以下のように変形し得る。また、以下の変形例を適宜組み合わせてもよい。
（変形例１）
前述した実施形態では、表示形式判別テーブルＴ２に基づいて、各表示形式において表示される属性情報の種別が決定されていたが、これに限らない。例えば、各々の属性情報の種別に対して優先順位を決めておき、表示形式として全体表示が判別された場合には、優先順位が１位〜３位の種別の属性情報が配列された全体表示の文章リスト画像が表示され、中間表示が判別された場合には、優先順位が１位〜４位の種別の属性情報が配列された中間表示の文章リスト画像が表示され、詳細表示が判別された場合には、優先順位が１位〜最下位の種別の属性情報が配列された詳細表示の文章リスト画像が表示されてもよい。
また、表示形式判別テーブルＴ２の内容は、利用者による操作ボタン１８又は電子ペン２の操作に従って書き換えられてもよい。これにより、利用者は、各々の文章リスト画像に、所望の種別の属性情報を配列させることができる。
また、前述した実施形態では、文章データの属性情報の一例として、図４に示した表示形式判別テーブルＴ２に記述された「名前」，「タイトル」，「作成者」，「更新日時」，「ページ数」，「ブックマークページ」，「サムネイル画像」を例に挙げて説明したが、これに限らない。文章データの属性情報は、文章データがどのようなものであるかを表す情報であればどのような情報であってもよい。
【００３４】
（変形例２）
前述した実施形態では、文章データの一覧を表す文章リスト画像を表示する例を挙げて説明したが、これに限らない。例えば、本願発明を、楽曲などを表す音声データの一覧を表す楽曲リスト画像の表示に適用してもよい。この楽曲リスト画像には、音声データの曲名、アーティスト名、アルバム名などが配列されるとよい。また、この場合、表示装置１に放音を行うスピーカーを設け、前述したステップＳ１８にて詳細表示が判別された場合には、音声データが表す楽曲の一部（例えば、イントロ部分やサビ部分）をスピーカーから放音させてもよい。
【００３５】
（変形例３）
前述した実施形態において、電子ペン２の位置に対応する表示位置に配置されているアイコン画像や文字画像の色を反転表示させてもよい。これにより、利用者は、電子ペン２の指し示す位置を容易に認識することができる。
【００３６】
（変形例４）
前述した実施形態では、利用者によって電子ペン２のペン先が記憶性表示体２１の表示面に接触させられた場合には、電子ペン２の位置に対応する文章画像の１ページ目が表示されていたが、これに限らない。例えば、図１０に示した詳細表示の文章リスト画像Ｒ３が表示されているときに、利用者によって文章データＢの３ページ目のサムネイル画像Ｎの表示位置に、電子ペン２のペン先が接触させられた場合には、文章データＢが表す文章画像の３ページ目を記憶性表示体２１に表示させてもよい。
【００３７】
（変形例５）
前述した実施形態では、記憶性表示体２１の表示内容を全体表示の文章リスト画像から中間表示の文章リスト画像に変更するときの閾値と、中間表示の文章リスト画像から全体表示の文章リスト画像に変更するときの閾値とが同じであったが、これらの閾値を異ならせてもよい。この場合、ＣＰＵ１１は、ペン検出部１９によって測定された電子ペン２までの距離が第１の閾値以下の場合には、記憶性表示体２１の表示内容を全体表示の文章リスト画像から中間表示の文章リスト画像に変更することにより、記憶性表示体２１の表示面に表示されている属性情報の種別を増やして表示させる。また、ＣＰＵ１１は、ペン検出部１９によって測定された電子ペン２までの距離が第１の閾値よりも大きい第２の閾値以下の場合には、記憶性表示体２１の表示内容を中間表示の文章リスト画像から全体表示の文章リスト画像に変更することにより、記憶性表示体２１の表示面に表示されている属性情報の種別を減らして表示させる。ここでは、第１の閾値が６ｃｍであり、第２の閾値が７ｃｍである場合を想定する。この場合、ＣＰＵ１１は、記憶性表示体２１に全体表示の文章リスト画像が表示されているときに、利用者によって電子ペン２が記憶性表示体２１の表示面から６ｃｍまで近づけられると、記憶性表示体２１の表示内容を全体表示の文章リスト画像から中間表示の文章リスト画像へと変更させる。一方、記憶性表示体２１に中間表示の文章リスト画像が表示されているときには、利用者によって電子ペン２が記憶性表示体２１の表示面から７ｃｍまで遠ざけられると、ＣＰＵ１１は、記憶性表示体２１の表示内容を中間表示の文章リスト画像から全体表示の文章リスト画像に変更させる。また、同様にして、中間表示の文章リスト画像から詳細表示の文章リスト画像に変更する閾値と、詳細表示の文章リスト画像から中間表示の文章リスト画像に変更する閾値とを異ならせてもよい。
【００３８】
（変形例６）
前述した実施形態において、ペン検出部１９は、誘導電磁方式を用いて、記憶性表示体２１の表示面上における電子ペン２の位置を特定するとともに、記憶性表示体２１の表示面から電子ペン２までの距離を測定していたが、これに限らない。例えば、ペン検出部１９が、タッチパネルと超音波センサとで構成されてもよい。この場合、タッチパネルは、記憶性表示体２１の表示面上に配置される。そして、必ずしも電子ペン２が用いられる必要はない。例えば、利用者の指が記憶性表示体２１の表示面上に近づけられたり、接触されたりしてもよい。この場合、利用者の指が操作子としての役割を果たす。この場合、ペン検出部１９は、タッチパネルを用いて記憶性表示体２１の表示面上における操作子の位置を特定するとともに、その表示面上における操作子の接触位置を検出する。また、ペン検出部１９は、超音波センサを用いて、記憶性表示体２１の表示面に対して垂直に超音波を照射したときの反射を計測することにより、記憶性表示体２１の表示面から操作子までの距離を測定する。
【００３９】
（変形例７）
前述した実施形態において、電子ペン２が検出範囲内に存在せず、ペン検出部１９が電子ペン２までの距離を測定できない場合には、ステップＳ１３の処理に戻り、全体表示の文章リスト画像を表示してもよい。
【００４０】
（変形例８）
前述した実施形態において、ＣＰＵ１１が実行していた処理は、他のハードウェアとの協働により行われてもよいし、ＣＰＵ１１以外の１又は複数のハードウェアにより行われてもよい。また、ＣＰＵ１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００４１】
【図１】実施形態に係る表示装置の外観を示す平面図である。
【図２】上記表示装置のハードウェア構成を示す図である。
【図３】上記表示装置のペン検出部が電子ペンを検出する仕組みを説明する図である。
【図４】上記表示装置に記憶されている属性情報テーブルの一例を示す図である。
【図５】上記表示装置に記憶されている表示形式判別テーブルの一例を示す図である。
【図６】上記表示装置の機能構成を示す図である。
【図７】上記表示装置における文章リスト画像の表示処理を示す図である。
【図８】上記表示装置に表示される全体表示の文章リスト画像の一例を示す図である。
【図９】上記表示装置に表示される中間表示の文章リスト画像の一例を示す図である。
【図１０】上記表示装置に表示される詳細表示の文章リスト画像の一例を示す図である。
【符号の説明】
【００４２】
１…表示装置、１１…ＣＰＵ、１２…ＲＯＭ、１３…ＲＡＭ、１４…記憶部、１５…電源、１６…電源制御部、１７…入出力部、１８…操作ボタン、１９…ペン検出部、２０…ＶＲＡＭ、２１…記憶性表示体、２２…表示体制御部、１０１…距離測定部、１０２…位置特定部、１０３…表示形式判別部、１０４…文章リスト画像生成部、１０５…画像データ書き込み部。
【図１】
2010026565.tif 000003
【図２】
2010026565.tif 000004
【図３】
2010026565.tif 000005
【図４】
2010026565.tif 000006
【図５】
2010026565.tif 000007
【図６】
2010026565.tif 000008
【図７】
2010026565.tif 000009
【図８】
2010026565.tif 000010
【図９】
2010026565.tif 000011
【図１０】
2010026565.tif 000012